(57)【要約】【課題】  第１フィルタの濾し孔を通過して弁室の底部に溜まり弁孔よりも大径となった異物が弁孔に引っ掛かることのないフロート式ドレントラップを提供する。【解決手段】  入口４と出口６を有する本体１に蓋体２を締結して内部に弁室３を有するケーシングを形成する。弁室３下部側壁の蓋体２に弁孔７を開けた弁座９を結合する。弁室３内に弁孔７を開閉する中空球形のフロート１１を自由状態で配置する。弁室３のフロート１１の上流側にキャップ状の第１フィルタ１５を設けて弁室３を入口４連通側とフロート１１配置側とに隔てる。第１フィルタ１５は弁孔７よりも小径の濾し孔１７を多数有する。弁孔７の弁室３側開口及びフロート１１の下方の弁室３底部に平板状の第２フィルタ１８を設けて弁室３下部を上下に隔てる。第２フィルタ１８は第１フィルタ１５の濾し孔１７と同径以上で弁孔７よりも小径の濾し孔１９を多数有する。【選択図】      図１
2010144756.tif 000002
【特許請求の範囲】
【請求項１】
ケーシングで入口と弁室と出口を形成し、弁室と出口を連通する弁孔を弁室の下部側壁に開口し、弁室内に密閉のフロートを配置し、フロートの浮上降下により直接にあるいは弁部材等を介して弁孔を開閉するフロート式ドレントラップであって、フロートの上流側に弁孔よりも小径の濾し孔を多数有する第１フィルタを設けたものにおいて、第１フィルタの濾し孔と同径以上で弁孔よりも小径の濾し孔を多数有する第２フィルタを弁室の底部に設けたことを特徴とするフロート式ドレントラップ。
【発明の詳細な説明】
【技術分野】
【０００１】
本発明は、蒸気配管系や圧縮空気配管系やガス配管系に発生するドレンを自動的に排出するドレントラップに関し、特に密閉のフロートで直接にあるいは弁部材等を介して弁孔を開閉するフロート式ドレントラップにおいて、弁孔が流体中の異物によって塞がれないようにしたものに関する。
【背景技術】
【０００２】
従来のフロート式ドレントラップは特開２００３−２４０１９０号公報に示されている。これは、ケーシングで入口と弁室と出口を形成し、弁室と出口を連通する弁孔を弁室の下部側壁に開口し、弁室内に密閉のフロートを配置し、フロートの浮上降下により直接にあるいは弁部材等を介して弁孔を開閉するフロート式ドレントラップであって、フロートの上流側に弁孔よりも小径の濾し孔を多数有する第１フィルタを設けたものである。
【０００３】
上記従来のフロート式ドレントラップにおいては、第１フィルタの濾し孔よりも小径の異物が第１フィルタの濾し孔を通過し、通過した異物の一部が排出ドレンと共に弁孔を流下し一部が弁室の底部に溜まる。弁室の底部に溜まった異物の一部は巻き上げられて排出ドレンと共に弁孔に向かい、一部の弁孔よりも小径の異物は弁孔を流下するが、一部の弁室の底部に溜まっているときに異物同士が結合して弁孔よりも大径となった異物は弁孔の弁室側端に引っ掛かり、弁孔を塞いで弁孔の開弁を阻害したり逆に弁孔の閉弁を阻害したりする問題があった。
【特許文献１】特開２００３−２４０１９０号公報
【発明の開示】
【発明が解決しようとする課題】
【０００４】
従って、本発明の技術的課題は、第１フィルタの濾し孔を通過して弁室の底部に溜まり弁孔よりも大径となった異物が弁孔に引っ掛かることのないフロート式ドレントラップを提供することである。
【課題を解決するための手段】
【０００５】
上記の技術的課題を解決するために講じた本発明の技術的手段は、ケーシングで入口と弁室と出口を形成し、弁室と出口を連通する弁孔を弁室の下部側壁に開口し、弁室内に密閉のフロートを配置し、フロートの浮上降下により直接にあるいは弁部材等を介して弁孔を開閉するフロート式ドレントラップであって、フロートの上流側に弁孔よりも小径の濾し孔を多数有する第１フィルタを設けたものにおいて、第１フィルタの濾し孔と同径以上で弁孔よりも小径の濾し孔を多数有する第２フィルタを弁室の底部に設けたことを特徴とするものである。
【発明の効果】
【０００６】
本発明は、第１フィルタの濾し孔及び第２フィルタの濾し孔を通過して弁室の底部に溜まり弁孔よりも大径となった異物が第２フィルタの濾し孔を通過して弁孔に向かうことを防止でき弁孔に引っ掛かることがないので、弁孔を塞いで弁孔の開弁を阻害したり逆に弁孔の閉弁を阻害したりすることがないという優れた効果を生じる。
【発明を実施するための最良の形態】
【０００７】
本発明のフロート式ドレントラップは、フロートの上流側に弁孔よりも小径の濾し孔を多数有する第１フィルタを設けたものにおいて、第１フィルタの濾し孔と同径以上で弁孔よりも小径の濾し孔を多数有する第２フィルタを弁室の底部に設けたものである。そのため、第１フィルタの濾し孔及び第２フィルタの濾し孔を通過して弁室の底部に溜まり弁孔よりも大径となった異物が第２フィルタの濾し孔を通過して弁孔に向かうことを防止でき弁孔に引っ掛かることがない。
【実施例１】
【０００８】
上記の技術的手段の具体例を示す実施例を説明する（図１参照）。図１に本発明のフロート式ドレントラップの断面図を示す。本実施例はフリーフロート式スチームトラップに適用したものである。フリーフロート式スチームトラップのケーシングは本体１とこの本体１にボルトで締結した蓋体２とで形成し、内部に弁室３を有する。本体１は入口４と出口通路５と出口６を有し、入口４は弁室３の上部に連通する。
【０００９】
弁室３下部側壁の蓋体２に弁孔７を開けた弁座９をねじ結合する。弁孔７は斜め下方に向けて開口する。蓋体２は出口通路１０を有し、弁室３の下部は弁孔７から出口通路１０，５を介して出口６に連通する。弁室３内に弁孔７を開閉する中空球形のフロート１１を自由状態で配置する。フロート１１が弁孔７を閉じた位置で当接するフロート座１２をフロート１１の下方に、図面の手前側と向う側に２つ設ける。
【００１０】
弁室３内に温度応動部材としてのバイメタル１３を配置する。バイメタル１３は断面形状がほぼＵ字状で一端側をビス１４で蓋体２に固定する。バイメタル１３は高温時にＵ字状が狭まるように変形してフロート１１に干渉しないと共に、低温時にＵ字状が拡がるように変形してフロート１１を持ち上げて弁孔７を開ける。
【００１１】
弁室３のフロート１１の上流側にキャップ状の第１フィルタ１５を設けて弁室３を入口４連通側とフロート１１配置側とに隔てる。第１フィルタ１５は蓋体２に載せた保持筒１６に載せて保持筒１６と本体１の頂壁との間に固定する。第１フィルタ１５は弁孔７よりも小径で弁室３の入口４連通側とフロート１１配置側とを連通する濾し孔１７を多数有する。弁孔７の弁室３側開口及びフロート１１の下方の弁室３底部に平板状の第２フィルタ１８を設けて弁室３底部を上下に隔てる。第２フィルタ１８はバイメタル１３を蓋体２に固定するビス１４で固定する。第２フィルタ１８は第１フィルタ１５の濾し孔１７と同径以上で弁孔７よりも小径の濾し孔１９を多数有する。
【００１２】
上記実施例のフリーフロート式スチームトラップの動作は下記の通りである。入口４から異物を含む流体が流入し、第１フィルタ１５の濾し孔１７よりも大径の異物が第１フィルタ１５の濾し孔１７により捕捉される。第１フィルタ１５の濾し孔１７を通過した小径の異物の一部は排出ドレン及び低温空気と共に弁孔７を流下し、一部は第２フィルタ１８の濾し孔１９を通過して弁室３の底部に溜まる。弁室３の底部に溜まった異物の一部は巻き上げられ、第２フィルタ１８の濾し孔１９よりも小径の異物は第２フィルタを通過して排出ドレン及び低温空気と共に弁孔７を流下するが、第２フィルタ１８の濾し孔１９よりも大径となった異物は第２フィルタ１８の濾し孔１９を通過しない。
【００１３】
弁室３内が低温の場合、バイメタル１３はＵ字状が拡がるように変形してフロート１１を持ち上げて弁孔７を開ける。これにより、低温の空気とドレンを弁孔７から出口６に排出する。低温の空気とドレンの排出によって弁室３内に流入するドレンの温度が高くなると、バイメタル１３はＵ字状が狭まるように変形してフロート１１に干渉しなくなる。弁室３内のドレン量に応じてフロート１１が浮上降下して弁孔７を開閉し、ドレンを弁孔７から出口６に排出する。空気が弁室３内に流入してきて弁室３内の温度が所定以下に低下すると、バイメタル１３はＵ字状が拡がるように変形してフロート１１を持ち上げて弁孔７を開け、空気を弁孔７から出口６に排出する。
【図面の簡単な説明】
【００１４】
【図１】本発明のフロート式ドレントラップをフリーフロート式スチームトラップに適用した実施例の断面図である。
【符号の説明】
【００１５】
１  本体
２  蓋体
３  弁室
４  入口
６  出口
７  弁孔
９  弁座
１１  フロート
１５  第１フィルタ
１７  濾し孔
１８  第２フィルタ
１９  濾し孔
【図１】
2010144756.tif 000003